(57)【要約】【課題】入賞球の流下経路が明瞭なアレンジボール型パチンコ機の入賞口装置を提供することである。【解決手段】入賞口装置１の各入賞口１６の左右を区画する遊技球ガイド２ｃを夫々下方に延長して遊技盤１３上に位置させ、入球を検知するセンサー５の遊技球検出孔５ａを該遊技球ガイド２ｃの下方域に配置し、入賞口１６に入った遊技球が遊技盤１３の上を流下して内レール１４上に落下するようにして排出されるようにするとともに、ＬＥＤ素子３ａが発光し、ドット加工されたナンバー４ａ及びナンバープレート４の上部近傍のみを光らせる。また、遊技球が発射球数を視認できる数字表示装置１５を入賞口装置１に設けた。【選択図】        図２
2004160042.tif 000002
【特許請求の範囲】
【請求項１】
所定数の遊技球を発射することにより１回のゲームを行い、発射された遊技球のうち遊技領域上方に複数配置した役物に入賞しない残り全ての遊技球を、遊技領域の下方に横一列状に配置した所定数の入賞口の何れかに入賞させるアレンジボール型パチンコ機の入賞口装置において、横一列状に所定数配置された各入賞口の左右を区画する遊技球ガイドを夫々下方に延長して遊技盤上に位置させ、各入賞口に遊技球が入ったことを検知するため各入賞口ごとに配置されるセンサーの遊技球検出孔を該遊技球ガイド間の下方域に配置し、該センサーの遊技球検出孔を通過した遊技球を遊技領域最下部に配置されるアウト口から排出するようにし、前記横一列状に配置された各入賞口には入賞口のナンバーを記したナンバープレートの上端部を、入賞口の左右を区画する遊技球ガイドの前面且つ上端部に一致させて配設し、前記センサーが遊技球を検知した場合、該ナンバープレートのナンバー及びナンバープレートの上面近傍のみが明るくなるように構成したことを特徴とするアレンジボール型パチンコ機の入賞口装置。
【請求項２】
上記遊技球ガイドの下端部と入賞口装置の機台前方側全域を覆う前面プレートの下端部が重合するように構成されていることを特徴とするアレンジボール型パチンコ機の入賞口装置。
【請求項３】
上記、所定数の遊技球を発射することにより１回のゲームを行い、発射された遊技球の内遊技領域上方に複数配置した役物に入賞しない残り全ての遊技球を、遊技領域の下方に横一列状に配置した所定数の入賞口の何れかに入賞させるアレンジボール型パチンコ機の入賞口装置において、今までに発射した遊技球数若しくは現在発射可能な残遊技球数を表す表示装置を該入賞口装置に配設するように構成したことを特徴とするアレンジボール型パチンコ機の入賞口装置。
【請求項４】
上記ナンバープレートが有機ＥＬディスプレイで構成されるようにしたことを特徴とする請求項１記載のアレンジボール型パチンコ機の入賞口装置。
【請求項５】
上記ナンバープレートが合成樹脂プレートであり、該ナンバープレートに記すナンバーを下方から上方に向かって深くなる溝で形成するとともに該溝の底面をドット加工し、ナンバープレートの上面に該上面からナンバープレート背面側に傾斜する傾斜面を連続して設け、該合成樹脂プレートの下方端で各入賞口ごとに光源を配設するように構成したことを特徴とする請求項１記載のアレンジボール型パチンコ機の入賞口装置。
【発明の詳細な説明】
【０００１】
【発明が属する技術分野】
本発明は、アレンジボール型パチンコ機の入賞口装置に関するものである。
【０００２】
【従来の技術】
アレンジボール型パチンコ機（通称アレパチ機と称され、以下アレパチ機とも称する）は、１ゲームで所定数（例えば１６球）の遊技球が発射可能で、１発ずつ発射された遊技球が遊技領域１３ａの下方域に配置される入賞口装置１の横一列状に配置された１から１６までのナンバーが記された入賞口１６のうち、一定数の連続した入賞口１６（例えば１６個）に入賞した場合には、入賞組が成立して賞球が払い出されたり、始動口９に遊技球が入ると遊技領域中央近傍に設けられるデジタル表示装置８の数字が回転し、該数字が揃うことで大当たりとなるゲーム機である。
【０００３】
上記の如く、横一列状に配置される１６個の入賞口１６の前面にはそれぞれの入賞口１６を識別するためにナンバーを記した表示部２２が設けられる。１ゲームに１６球発射される遊技球は、遊技領域上方に配置される電動チューリップ１０等役物に入賞する他、遊技領域下方の入賞口装置１の１６個の入賞口１６に入賞する。入賞口装置１の入賞口１６に入賞した遊技球は、入賞口１６の入球口２ｈ下方の傾斜した遊技球排出路２０を通って遊技盤１３の裏側に送られ、該遊技球排出路２０が遊技盤１３に沿って遊技球を直下に落下する箇所にセンサー５を配置し、センサー５の遊技球検出孔５ａを遊技球排出路２０内に位置させる。遊技球がセンサー５の遊技球検出孔５ａを通過すると、その通過信号が図示しない制御部に送られ、制御部からの信号で表示部２２の機台後方側に配置されたＬＥＤランプ２１が１ゲーム終了まで点灯し、表示部２２を照らしていた（例えば、特許文献１参照。）。
【０００４】
また、アレパチ機の入賞口装置１として横一列状に１６個の入賞口１６を配置し、該入賞口１６列の上方に凹溝状通路２３を配置して、遊技領域１３ａの上方に配置された役物等に入賞しなかった遊技球を該凹溝状通路２３から１６個の入賞口１６の何れかに落下するようにし、落下して入賞口１６に入った遊技球を遊技盤１３面前方に位置させたセンサー５の遊技球検出孔５ａ内を通過させるとともに、そのまま遊技盤１３上を落下させて遊技領域最下端部に配置したアウト口１２から排出する技術が提案されている（例えば特許文献２参照。）。
【０００５】
上述した遊技領域１３ａの下方に配置され、１６個の入賞口１６を横一列状に設けたアレパチ機の入賞口装置１は、各入賞口１６に遊技球が入るとナンバーを記した表示部２２の後方に配置したＬＥＤランプ２１等で表示部２２全体を照らすようにしていたため、遊技者に入賞を強く印象付けるものでなかった。また、１６個の入賞口１６のうち該入賞口１６の上部に配置された釘の配列により入賞し易い入賞口１６と入賞が難しい入賞口１６があるため、何球も同じ入賞口１６に入る場合がある。この場合、特許文献１の入賞口装置１は、各入賞口１６に入った遊技球をそのまま機台裏面側に流出させてしまうので、遊技者は現在発射する遊技球が何球目かを分からない場合を生ずる。
【０００６】
特許文献２で提案された入賞口装置１は、凹溝状通路２３を設けて該凹溝状通路２３の後壁部分に表示部２２を配置して表示部２２を照明するようにしているので、入賞口１６に遊技球が入って表示部２２が明るくなっても遊技者にインパクトを与えにくいものであった。また、特許文献１で提案された入賞口装置１は、各入賞口１６の下方で遊技盤１３上にセンサー５の遊技球検出孔５ａを配置し、検知した遊技球が遊技盤１３上を落下するようにしたので構造がシンプルであるが、入賞口１６の前面を覆う前面プレート１ａを、アウト口１２の部分を見えるようにしている他は、内レール１４にほぼ接するように設けているので、従来の他の入賞口装置１と同じく、入賞口１６に入った遊技球の流下先が分からないため、遊技球が同じ入賞口１６に入ることが続くと現在何球目の遊技球を発射しているか分からない場合を生ずる。
【０００７】
【特許文献１】
特許第２７９１８５５号公報（第６頁、第１図）
【特許文献２】
特開２０００−８４１８４号公報（第５頁、第２図、第３図）
【０００８】
【発明が解決しようとする課題】
本発明は上記不具合を鑑み、入賞口の前面にナンバーを記したナンバープレートを配置し、入賞口に遊技球が入った場合にナンバープレート全体を照明するのでなく、ナンバーそのもを明るく照明すること及び遊技者が入賞口から落下する遊技球を視認できる入賞口装置を提供することである。
【０００９】
【課題を解決するための手段】
上記課題を解決するため本発明の採用した手段を以下に説明する。本発明請求項１記載のアレンジボール型パチンコ機の入賞口装置は、「所定数の遊技球を発射することにより１回のゲームを行い、発射された遊技球のうち遊技領域上方に複数配置した役物に入賞しない残り全ての遊技球を、遊技領域の下方に横一列状に配置した所定数の入賞口の何れかに入賞させるアレンジボール型パチンコ機の入賞口装置において、横一列状に所定数配置された各入賞口の左右を区画する遊技球ガイドを夫々下方に延長して遊技盤上に位置させ、各入賞口に遊技球が入ったことを検知するため各入賞口ごとに配置されるセンサーの遊技球検出孔を該遊技球ガイド間の下方域に配置し、該センサーの遊技球検出孔を通過した遊技球を遊技領域最下部に配置されるアウト口から排出するようにし、前記横一列状に配置された各入賞口には入賞口のナンバーを記したナンバープレートの上端部を、入賞口の左右を区画する遊技球ガイドの前面且つ上端部に一致させて配設し、前記センサーが遊技球を検知した場合、該ナンバープレートのナンバー及びナンバープレートの上面近傍のみが明るくなるように構成したことを特徴とするアレンジボール型パチンコ機の入賞口装置」である。
【００１０】
「各入賞口の左右を区画する遊技球ガイドを夫々下方に延長して遊技盤上に位置させ」とは、各入賞口の入球口の左右を区画する遊技球ガイドを下方に延長して、各入賞口に入った遊技球を機台後方側に送らないことであり、「各入賞口ごとに配置されるセンサーの遊技球検出孔を該遊技球ガイド間の下方域に配置し」とは、遊技盤上に延長、配置された遊技球ガイド間の下方域にセンサーホルダーを配置し、該センサーホルダーを遊技球ガイド下端部近傍において遊技盤に設けた長孔内に入るようにし、センサーの遊技球検出孔を遊技球ガイド間に位置するようにしたことである。これにより各入賞口に入った遊技球は左右一対の遊技球ガイドと前方を後述するナンバープレート、プレート、後方を背面プレートに落下方向を規制され、各入賞口の下方から下方の内レール上に落下し、アウト口から排出される。
【００１１】
「入賞口のナンバーを記したナンバープレートの上端部を、入賞口の左右を区画する遊技球ガイドの前面且つ上端部に一致させて配設し」とは、各入賞口の入球口の前面をナンバープレートが構成することである。
【００１２】
本発明請求項２記載のアレンジボール型パチンコ機の入賞口装置は、「上記遊技球ガイドの下端部と入賞口装置の機台前方側全域を覆う前面プレートの下端部が重合するように構成されていることを特徴とするアレンジボール型パチンコ機の入賞口装置」である。
【００１３】
「遊技球ガイドの下端部と入賞口装置の機台前方側全域を覆う前面プレートの下端部が重合する」とは、遊技球ガイドの長さが入賞口装置の縦方向の長さであることを示し、入賞口装置がこの長さであると遊技球ガイド間を落下する遊技球は、遊技者に視認されて下方の内レール上に落下することになる。
【００１４】
本発明請求項３記載のアレンジボール型パチンコ機の入賞口装置は、「所定数の遊技球を発射することにより１回のゲームを行い、発射された遊技球の内遊技領域上方に複数配置した役物に入賞しない残り全ての遊技球を、遊技領域の下方に横一列状に配置した所定数の入賞口の何れかに入賞させるアレンジボール型パチンコ機の入賞口装置において、今までに発射した遊技球数若しくは現在発射可能な残遊技球数を表す表示装置を該入賞口装置に配設するように構成したことを特徴とするアレンジボール型パチンコ機の入賞口装置」である。
【００１５】
「今までに発射した遊技球数若しくは現在発射可能な残遊技球数を表す表示装置」とは、アレパチ機においては例えば１６球の遊技球を発射することで１ゲームを行うが、１６個横一列状に配置される入賞口は入賞口装置の上方に打設される釘列によって入賞し易い入賞口と入賞が難しい入賞口が生じ、１ゲームの間に入賞し易い入賞口に遊技球が数回入ったり、遊技領域の上方に配置される役物等に遊技球が入ると、遊技者は現在１６個発射できる遊技球のうち、現在は何個目の遊技球か分からない場合を生ずるため、入賞口装置に現在何個目の遊技球を発射するのか、若しくは後何個遊技球を発射可能なのかを示す表示装置を配置したことである。表示装置はアウト口を通過する遊技球を検知して制御装置からの信号により表示を行う。
【００１６】
本発明請求項４記載のアレンジボール型パチンコ機の入賞口装置は、「ナンバープレートが有機ＥＬディスプレイで構成されるようにしたことを特徴とする請求項１記載のアレンジボール型パチンコ機の入賞口装置」である。
【００１７】
「ナンバープレートが有機ＥＬディスプレイで構成される」とは、ナンバープレートを複数の有機ＥＬディスプレイを遊技球ガイドの前面において横一列状に配置することで、該複数の有機ＥＬディスプレイはその上端部を遊技球ガイドの上端部と同じとする。有機ＥＬディスプレイは遊技球が各入賞口に入ると有機ＥＬディスプレイの各入賞口の前部分のみにおいてナンバーを写し出すとともに番号の上方部分を明るくし、その他の部分は黒色若しくは他の色を写し出すことが可能である。なお、有機ＥＬディスプレイの配線は該有機ＥＬディスプレイの下方に設け、ナンバーを写し出したり、色のみを写し出したりするための制御装置は入賞口装置の入球ガイドの下方に配置される。
【００１８】
本発明請求項５記載のアレンジボール型パチンコ機の入賞口装置は、「ナンバープレートが合成樹脂プレートであり、該ナンバープレートに記すナンバーを下方から上方に向かって深くなる溝で形成するとともに該溝の底面をドット加工し、ナンバープレートの上面に該上面からナンバープレート背面側に傾斜する傾斜面を連続して設け、該合成樹脂プレートの下方端で、各入賞口ごとに光源を配設するように構成したことを特徴とする請求項１記載のアレンジボール型パチンコ機の入賞口装置」である。
【００１９】
「ナンバープレートが合成樹脂プレートであり」とは、各入賞口のナンバーを記した一枚の合成樹脂製のナンバープレートが遊技球ガイドの前方に配置されることである。また、「ナンバーを下方から上方に向かって深くなる溝で形成するとともに該溝の底面をドット加工し」とは、数字の形状をした溝の底面をドット加工することによりナンバープレートの下方から上方に光を通過させると光が乱反射させナンバーのみを明るくすることである。また「下方から上方に向かって深くなる溝で形成」したのでナンバー全体が乱反射してナンバーのみが明るく光る。そしてナンバープレートの上面に該上面からナンバープレート背面側に傾斜する傾斜面を連続して設けたことによりナンバーの最上部とナンバープレートの上面が間近になり、ナンバーの最上部で乱反射した光が傾斜面を通過すると傾斜面もナンバーと同じ色で光る。
【００２０】
【発明の実施の形態】
以下に、本発明のアレンジボール機の入賞口装置を図１から図１１を参考にして詳細に説明する。図１は本発明のアレンジボール型パチンコ機の正面図、図２は本発明の入賞口装置の前カバーをはずした状態の正面図、図３は本発明の入賞口装置の分解斜視図、図４は本発明の入賞口装置の斜視図、図５は本発明の入賞口装置を背面側から見た斜視図、図６は本発明の入賞口装置に装着されるナンバープレートの部分図、図７は本発明の入賞口装置に装着されるナンバープレートの側断面図、図８は本発明の入賞口装置の左側二分の一の平面図、図９は図２のＡ−Ａ’の断面図、図１０は図２のＢ−Ｂ’の断面図、図１１は有機ＥＬディスプレイをナンバープレートに使用した本発明の入賞口装置の斜視図である。
【００２１】
図１はアレパチ機の正面図であり、内レール１４と図示しない外レールに囲繞された遊技領域１３ａの上部に入賞口６、該入賞口６の左右に遊技球の落下する流路を変更する風車７、遊技領域１３ａの中央にはデジタル表示装置８、該デジタル表示装置８の上部の左近傍に始動口９、該デジタル表示装置８の上部の右近傍に電動チューリップ１０、該デジタル表示装置８の下部左右近傍にチャッカー１１、遊技領域１３ａの下部には本発明の入賞口装置１、該入賞口装置１の下部で遊技領域１３ａの最下部にはアウト口１２が配設されている。アレパチ機は１回のゲームにつき１６球の遊技球が遊技領域１３ａに打ち出されることで終了し、一発ずつ発射された遊技球は始動口９に入球すると入賞口６が一定の時間開口し、該入賞口６に入球すると遊技領域１３ａ中央にあるデジタル表示装置８が回転し、所定の数字が揃うと電動チューリップ１０が開口し権利発生となる。
【００２２】
図２において、２は入賞口装置１を構成する一体成形されたケースで、外周壁２ａは略同心環状で内レール１４の内側に有り、取付具２ｇにより遊技盤１３に取付られる。外周壁２ａの周端部より僅かに低く成形されたプレート２ｂ上には該プレート２ｂより遊技機台後方側に位置する一平面で形成されるプリント基板取付ベース２ｋが設けられており、該プリント基板取付ベース２ｋにはコネクター３ｂを配設するための穴２ｎが付設されている。該プレート２ｂの背面側には、左右を等間隔に配置された１７個の遊技球ガイド２ｃが配設され、遊技球ガイド２ｃと背面ガイド２ｄ及び後述するナンバープレート４によって１６個の入球口２ｈが横一列状に形成される。ナンバープレート取付ベース２ｍの上にナンバープレート４を戴置し、ナンバープレート４裏面の凹部４ｆと遊技球ガイド２ｃの凸部２ｃ’に嵌合し、ナンバープレート取付ベース２ｍの穴２ｐとナンバープレート４に設けられた図示しない穴を前後に位置させにてビス止めすることによりナンバープレート４はプレート２ｂに固定される。次いで該プリント基板取付ベース２ｋにプリント基板３をビス止めする。プレート２ｂ、ナンバープレート４、プリント基板３とは同一平面を形成する。プリント基板３の裏面最上部で、上方に位置されるナンバープレート４の夫々のナンバー４ａの直下に１６個のＬＥＤ素子３ａが配設される。また入球口２ｈの下方で遊技球ガイド２ｃの下方域にセンサーホルダー２ｅが設けられるセンサー５の幅が遊技球ガイド２ａの間隔よりも大きいため前記センサーホルダー２ｅをオーバーラップして設け、本発明では上下３列にセンサーホルダー２ｅを配置した。センサーホルダー２ｅに支持されたセンサー５によって遊技球が検知されると該ＬＥＤ素子３ａが当該ゲームの間発光する。
【００２３】
図３において、ケース２の前面には、ナンバープレート４、プリント基板３、前面プレート１ａが順次ケース２に取付けられ、該ケース２の背面には入球口２ｈへ入球した遊技球を落下口２ｊへ以外に落下させないため背面プレート１ｂが設ける。前面プレート１ａは入賞口装置１の機台前方側全域を覆い、該前面プレート１ａを配置後にはプレート２ｂの外周壁２ａと同じ高さになる。
【００２４】
図４、図５においてにおいて、プレート２ｂ上で中央下部近傍に、１回のゲーム中に打ち出された遊技球数若しくは発射可能な残遊技球数を表示する数字表示装置１５が配設される。該数字表示装置１５はアウト口１２を通過する遊技球をセンサー（図示しない）で検知し、その検知した信号が制御装置に送られ、７セグメント形式の数字表示装置１５により遊技者が視認できるようにするものである。１６球の遊技球が打ち出されると数値はリセットされ初期値に戻り「０」もしくは「１６」が表示され、以後ゲームを続行する度に繰り返される。尚、本図では該数字表示装置１５は入賞口装置１の中央下部近傍に配置させたが、遊技者に見える範囲内であれば該入賞口装置１のどこに設けてもよい。また、該数字表示装置１５は入賞口装置１内だけでなく遊技領域１３ａ内、アレパチ機前面の上皿、枠体等に配置することも可能である。
【００２５】
図６、図７において、ナンバープレート４は透明な合成樹脂製で、１から１６まで記されるナンバー４ａは、下方から上方へ向かう程深くなる溝で形成され、該溝内の底面４ｄのドット加工部４ｊが施される。該ナンバープレート４の底面４ｄには切り欠き部４ｈが設けられ、該切り欠き部４ｈとプリント基板３とが重合されることにより固定される。また、ナンバープレート４の上端部は底面４ｄの略２分の１の上面４ｃと機台後方側に傾斜した傾斜面４ｇがナンバープレート４の両端部間を連続して設けられていることにより形成されている。センサー５で遊技球が検知されると、プリント基板３の裏面上部にあるＬＥＤ素子３ａが当該ゲームの間発光し、該光がナンバープレート４のナンバーの下方から上方へ向かって流れ、ナンバー４ａのドット加工部４ｊに到達すると乱反射してナンバー４ａ及びナンバープレート４の上面近傍が明るくなる。尚、本発明ではナンバープレート４のナンバー４ａの底面４ｄにはドット加工が施してあるのでナンバープレート４全体が明るくなるのではなくナンバー４ａとナンバープレート４の上面近傍のみが浮かび上がる。尚、当該入球口２ｈ以外のナンバー４ａ及びナンバープレート４の上面近傍が光ることはない。
【００２６】
図８、図９、図１０において、入球口２ｈは、遊技球ガイド２ｃ、背面ガイド２ｄ、背面プレート１ｂ、ナンバープレート４により形成され、前面にはＬＥＤ素子３ａが付設されたプリント基板３、前面プレート１ａが配置される。落下口２ｊも入球口２ｈと同様に前面にプレート２ｂ、背面に背面プレート１ｂにより形成される。前述のように入球口２ｈと落下口２ｊとの間に遊技球の入球を検知するセンサー５が配置され、該センサー５はセンサーホルダー２ｅによって保持される。また遊技盤１３には穴１３ｂ、１３ｃが設けられており、１３ｂは入賞口装置１の左右に２つずつある取付具２ｇを嵌入するための穴で、該取付具２ｇを嵌入することにより入賞口装置１は遊技盤１３に取付られ、１３ｃはセンサーホルダー２ｅを遊技盤１３内に位置させるために設けられた穴である。センサー５の遊技球検出孔５ａで検知された遊技球はそのまま落下して内レール１４上へ落下し、アウト口１２から排出される。
【００２７】
図１１は、合成樹脂製のナンバープレート４に換えて図示しない透明なケース内に配置された複数の有機ＥＬディスプレイ１７にとり換えたケース２の斜視図である。有機ＥＬディスプレイ１７は非常に薄いためにケース２に入れて、上記のように横一列状に４個配置しても合成樹脂製のナンバープレート４と略同寸法であり、該ケースは落下してくる遊技球から有機ＥＬディスプレイ１７を保護するためのものである。ケース２の左右に設けられた穴２ｎ内に有機ＥＬディスプレイ１７の制御装置１９が夫々配置され、１個の制御装置１９と２個の有機ＥＬディスプレイ１７が配線１８によって結ばれている。各入賞口１６に遊技球が入ると制御装置１９によって信号が発せられ、有機ＥＬディスプレイ１７の当該入賞口１６の前方部分のみ当該入賞口１６のナンバー４ａが写しだされるとともに該ナンバー４ａの上方部分が同色で発光する。遊技球が入らない入賞口１６の前側部分は、制御装置１９からの信号によって単一色を発光するようにするか、図柄を写しだすように構成される。尚、本図においては４個の有機ＥＬディスプレイ１７を横一列状に配置しているが、３個乃至１個の有機ＥＬディスプレイを配置してもよい。
【００２８】
【発明の効果】
本発明によると、以下のような効果を奏する。まず、入賞口へ落下してきた遊技球はセンサーで検出後、落下し遊技盤の表側のアウト口から排出されるまでの経緯を視認できるので、入賞球の流下先が明瞭になり、遊技者にとっての快適な遊技につながる。次に、本発明の入賞口装置の入賞口に遊技球が入賞すると、ナンバープレートの直下に配置されたＬＥＤ素子が発光し、ナンバープレートの下部よりドット加工部を照射するため、ナンバー及びナンバープレートの上面近傍のみが明るくなり、遊技者に入賞したことを強く印象付けることができる。そして、最後に入賞口装置に今までに発射した遊技球数若しくは現在発射可能な残遊技球数を表す数字表示装置を設けたので、１ゲーム中において現在が何個目の遊技球を発射したのかが一目で視認できるようになる。
【図面の簡単な説明】
【図１】本発明のアレンジボール型パチンコ機の正面図である。
【図２】本発明の入賞口装置の前カバーをはずした状態の正面図である。
【図３】本発明の入賞口装置の分解斜視図である。
【図４】本発明の入賞口装置の斜視図である。
【図５】本発明の入賞口装置を背面側から見た斜視図ある。
【図６】本発明の入賞口装置に装着されるナンバープレートの部分図である。
【図７】本発明の入賞口装置に装着されるナンバープレートの側断面図である。
【図８】本発明の入賞口装置の左側二分の一の平面図である。
【図９】図２のＡ−Ａ’の断面図である。
【図１０】図２のＢ−Ｂ’の断面図である。
【図１１】有機ＥＬディスプレイをナンバープレートに使用した本発明の入賞口装置の斜視図である。
【図１２】従来の入賞口装置の側断面図である。
【図１３】従来の入賞口装置の側断面図である。
【符号の説明】
１；入賞口装置、１ａ；前面プレート、１ｂ：背面プレート、２；ケース、２ａ；外周壁、２ｂ；プレート、２ｃ；遊技球ガイド、２ｃ’；凸部、２ｄ；背面ガイド、２ｅ；センサーホルダー、２ｆ；入球ガイド、２ｇ；取付具、２ｈ；入球口、２ｊ；落下口、２ｋ；プリント基板取付ベース、２ｍ；ナンバープレート取付ベース、２ｎ；穴、２ｐ；穴、３；プリント基板、３ａ；ＬＥＤ素子、３ｂ；コネクター、４；ナンバープレート、４ａ；ナンバー、４ｂ；表面、４ｃ；上面、４ｄ；底面、４ｅ；背面、４ｆ；凹部、４ｇ；傾斜面、４ｈ；切り欠き部、４ｊ；ドット加工部、５；センサー、５ａ；遊技球検出孔、６；入賞口、７；風車、８；デジタル表示装置、９；始動口、１０；電動チューリップ、１１；チャッカー、１２；アウト口、１３；遊技盤、１３ａ；遊技領域、１３ｂ；穴、１３ｃ；穴、１４；内レール、１５；数字表示装置、１６；入賞口、１７；有機ＥＬディスプレイ、１８；配線、１９；制御装置、２０；遊技球排出路、２１；ＬＥＤランプ、２２；表示部、２３；凹溝状通路。
【図１】
2004160042.tif 000003
【図２】
2004160042.tif 000004
【図３】
2004160042.tif 000005
【図４】
2004160042.tif 000006
【図５】
2004160042.tif 000007
【図６】
2004160042.tif 000008
【図７】
2004160042.tif 000009
【図８】
2004160042.tif 000010
【図９】
2004160042.tif 000011
【図１０】
2004160042.tif 000012
【図１１】
2004160042.tif 000013
【図１２】
2004160042.tif 000014
【図１３】
2004160042.tif 000015